(57)【要約】【課題】リム部の変形等に伴い大きな力が加わった場合に装飾リング部が硬質部から外れるのを抑制することのできるステアリングホイールを提供する。【解決手段】硬質部３０の被着部３２に装着される筒状の装飾部材４１は、自身の外表面に装飾の施された装飾リング部５１を、硬質部３０の加飾部３１と皮革６１との間に有する。装飾部材４１は、半割状に分割された一対の分割片４２，４３を被着部３２の周りに配置して相互に接合させることにより形成される。各分割片４２，４３は、装飾リング部５１の軟質部６０側に隣接し、かつ皮革６１の端部が係止される係止溝４７を有する係止部４５と、係止部４５から軟質部６０側へ延出して皮革６１が被せられる第１延出部４８と、第１延出部４８からさらに軟質部６０側へ延出して同軟質部６０により被覆される第２延出部４９とを備える。【選択図】図３
2011111102.tif 000002
【特許請求の範囲】
【請求項１】
略円環状をなすリム部の外殻部分が、硬質部と、皮革が被せられた軟質部と、全体が硬質材料により筒状に形成され、かつ自身の外表面に装飾の施された装飾リング部を、前記硬質部及び前記皮革間に有する装飾部材とを備え、
前記硬質部は、外表面に装飾の施された加飾部と、前記加飾部の前記軟質部側に隣接する被着部とを備え、
前記装飾部材が、半割状に分割された一対の分割片を前記被着部の周りに配置して相互に接合させることにより形成されたものであるステアリングホイールであって、
前記各分割片は、前記装飾リング部に加え、同装飾リング部の前記軟質部側に隣接し、かつ前記皮革の端部が係止される係止溝を有する係止部と、前記係止部から前記軟質部側へ延出して前記皮革が被せられる第１延出部と、前記第１延出部からさらに前記軟質部側へ延出して同軟質部により被覆される第２延出部とを備えることを特徴とするステアリングホイール。
【請求項２】
前記第２延出部の外表面は、前記第１延出部から遠ざかるほど縮径する請求項１に記載のステアリングホイール。
【請求項３】
前記軟質部は、前記装飾部材が前記被着部の周りに形成された後に、自身の一部が前記両分割片の前記第２延出部に被さるように成形されるものである請求項１又は２に記載のステアリングホイール。
【請求項４】
前記第１延出部は、前記軟質部の形成に際し、金型装置のバリ切り部が圧接されて、同軟質部を形成するためのキャビティからの成形材料の漏出を同バリ切り部とともに規制するものである請求項３に記載のステアリングホイール。
【請求項５】
前記被着部は、前記係止部が嵌合し得る溝部を有する請求項１〜４のいずれか１つに記載のステアリングホイール。
【請求項６】
前記各分割片において、前記装飾リング部を構成する箇所には、前記被着部側へ突出する突部が設けられており、
前記被着部には、前記両突部が嵌合し得る第２溝部が設けられている請求項５に記載のステアリングホイール。
【発明の詳細な説明】
【技術分野】
【０００１】
本発明は、車両等の乗り物の操舵装置に用いられるステアリングホイールに関し、より詳しくは、略円環状をなすリム部の外殻部分の周方向についての一部が、硬質部と、皮革の被せられた軟質部と、それらの間に位置する装飾リング部とを備えるステアリングホイールに関するものである。
【背景技術】
【０００２】
車両の操舵装置に用いられるステアリングホイールの一態様として、例えば特許文献１に記載されたものがある。このステアリングホイールでは、略円環状をなすリム部の外殻部分の周方向についての一部が、外表面に装飾の施された加飾部によって構成されている。加飾部の外表面は木製の加飾板によって構成されている。また、外殻部分の周方向についての他部は、加飾部に隣接する硬質部と、その硬質部に隣接する軟質部とを備えて構成されている。これらの軟質部及び硬質部には皮革が被せられている。
【０００３】
このステアリングホイールは、さらに装飾リング部及びリブを備えている。装飾リング部は、外表面にメッキの施された一対の分割片からなる。そして、両分割片が皮革の端部の周りに環状に配置され、分割面において相互に接合されることにより、装飾リング部が硬質部及び皮革の周りに形成されている。リブは硬質部から突出しており、皮革の端部を貫通した状態で、各分割片の凹部に嵌合されている。
【０００４】
上記のステアリングホイールによれば、加飾部と皮革との間に配置された装飾リング部が発する金属光沢により、リム部の意匠性（外観）が高められる。
また、リブにより、各分割片がリム部の周方向に移動すること、及び皮革の端部の周りを移動（回転）することが規制される。
【０００５】
装飾リング部が、リブの貫通された皮革の端部の外側に位置していることから、同端部が上記リブから外れることが装飾リング部によって規制される。
【先行技術文献】
【特許文献】
【０００６】
【特許文献１】特開２００９−１７３１０２号公報
【発明の概要】
【発明が解決しようとする課題】
【０００７】
ところで、車両が走行中に前面衝突する等して、車両に対し前方から衝撃が加わった場合には、車両は停止するが運転者は慣性により車両に対し前方へ移動しようとする。一方、上記衝撃に応じて、ステアリングホイールに内蔵されたエアバッグ装置が作動してエアバッグが膨張展開される。このエアバッグによって、運転者が衝撃から保護される。さらに、このときには、運転者からエアバッグを介してステアリングホイールに大きな押圧力が加わり、リム部が変形したり変位したりする。これらの変形、変位等によって上記衝撃が吸収され、この点からも運転者の保護が図られる。
【０００８】
ところが、上記の状況では、エアバッグを通じて直接的に、あるいはリム部の変形に伴い間接的に、装飾リング部に対しても大きな力が加わることが起こり得る。この場合、一対の分割片が、それらの分割面においてのみ相互に接合されている特許文献１に記載のステアリングホイールでは、両分割片を接合された状態に保持することができず、両分割片が分離して硬質部から外れるおそれがある。
【０００９】
本発明は、このような実情に鑑みてなされたものであって、その目的は、リム部の変形等に伴い大きな力が加わった場合に装飾リング部が硬質部から外れるのを抑制することのできるステアリングホイールを提供することにある。
【課題を解決するための手段】
【００１０】
上記の目的を達成するために、請求項１に記載の発明は、略円環状をなすリム部の外殻部分が、硬質部と、皮革が被せられた軟質部と、全体が硬質材料により筒状に形成され、かつ自身の外表面に装飾の施された装飾リング部を、前記硬質部及び前記皮革間に有する装飾部材とを備え、前記硬質部は、外表面に装飾の施された加飾部と、前記加飾部の前記軟質部側に隣接する被着部とを備え、前記装飾部材が、半割状に分割された一対の分割片を前記被着部の周りに配置して相互に接合させることにより形成されたものであるステアリングホイールであって、前記各分割片は、前記装飾リング部に加え、同装飾リング部の前記軟質部側に隣接し、かつ前記皮革の端部が係止される係止溝を有する係止部と、前記係止部から前記軟質部側へ延出して前記皮革が被せられる第１延出部と、前記第１延出部からさらに前記軟質部側へ延出して同軟質部により被覆される第２延出部とを備えることを要旨とする。
【００１１】
リム部が上記の構成を有するステアリングホイールでは、外表面に装飾の施された加飾部と、軟質部に被せられた皮革との間に、装飾の施された装飾リング部の外表面による別の意匠面が現出し、これがリム部の外観を向上させる。
【００１２】
装飾部材を構成する一対の分割片は被着部の周りに配置されて、相互に接合されている。この接合により両分割片は被着部の周りで筒状に連結されて、装飾部材を形成している。上記接合のほかにも、各分割片では、係止部から軟質部側へ延出する分割片毎の第１延出部に皮革の端部が被さっていて、被着部から離れる方向（径方向外方）への第１延出部の動きを規制する。さらに、第１延出部から軟質部側へ延出する分割片毎の第２延出部に対し軟質部及び皮革が被さっていて、被着部から離れる方向（径方向外方）への第２延出部の動きを規制する。
【００１３】
従って、リム部の変形等に伴う大きな力が装飾部材に加わっても、各分割片は被着部に装着された状態に保持され、硬質部から外れる現象が起こりにくくなる。
請求項２に記載の発明は、請求項１に記載の発明において、前記第２延出部の外表面は、前記第１延出部から遠ざかるほど縮径することを要旨とする。
【００１４】
ここで、軟質部及び装飾部材に対し、皮革が緊張状態で被せられると、それらの軟質部及び装飾部材に対し、リム部の軸線に向かう押圧力が加わる。硬質材料によって形成された装飾部材と、軟質部とでは硬さが異なる。そのため、軟質部の第１延出部との境界部分において、硬さが急激に変化すると段差が生じ、外観を低下させるおそれがある。
【００１５】
この点、請求項２に記載の発明では、第２延出部の外表面が第１延出部から遠ざかるほど縮径していることから、上記境界部分では、リム部の周方向に硬さが徐々に変化することとなり、段差が生じにくい。その結果、段差を生じにくくするための対策を別途講じなくても、段差に起因する外観の低下を抑制することが可能となる。
【００１６】
請求項３に記載の発明は、請求項１又は２に記載の発明において、前記軟質部は、前記装飾部材が前記被着部の周りに形成された後に、自身の一部が前記両分割片の前記第２延出部に被さるように成形されるものであることを要旨とする。
【００１７】
ここで、仮に軟質部を成形した後に両分割片を被着部に装着して装飾部材を形成するものとすると、軟質部と装飾部材との間に多少なりとも隙間が生ずるため、この隙間を埋める作業が別途必要となる。
【００１８】
この点、請求項３に記載の発明では、装飾部材が被着部の周りに形成された後に、自身の一部が両分割片の第２延出部に被さるように軟質部が成形される。そのため、第２延出部に接触した状態の軟質部を成形することで、軟質部と装飾部材との間に隙間が生じないようにすることが可能である。これに伴い、隙間を埋める作業は不要となる。
【００１９】
請求項４に記載の発明は、請求項３に記載の発明において、前記第１延出部は、前記軟質部の形成に際し、金型装置のバリ切り部が圧接されて、同軟質部を形成するためのキャビティからの成形材料の漏出を、同バリ切り部とともに規制するものであることを要旨とする。
【００２０】
上記の構成によれば、金型装置を用いた軟質部の形成に際しては、第１延出部に対し、バリ切り部が弾性変形しながら圧接される。この状態で、キャビティ内に成形材料が供給されて軟質部が成形される。この際、第１延出部はバリ切り部とともに、供給された成形材料が第１延出部と金型装置との間を通ってキャビティから漏出するのを規制する。
【００２１】
請求項５に記載の発明は、請求項１〜４のいずれか１つに記載の発明において、前記被着部は、前記係止部が嵌合し得る溝部を有することを要旨とする。
ここで、ステアリングホイールは、一般に熱、光等について過酷な状況下で使用される。そして、こうした状況下での長年の使用により皮革が経年劣化し、大きく収縮しようとする場合がある。この収縮により、皮革が係止された各分割片が引っ張られると、同分割片と加飾部との間に隙間が生ずるおそれがある。
【００２２】
この点、請求項５に記載の発明では、係止部が溝部に嵌合されることにより、各分割片は、リム部の周方向についての被着部の所定の箇所に位置決めされる。また、係止部が嵌合された溝部の壁面は、各分割片がリム部の周方向へ動くのを規制する。従って、装飾部材に係止された皮革が大きく収縮しようとしても、各分割片が皮革側へ引っ張られて動いて、加飾部との間に隙間を生ずることは起こりにくい。
【００２３】
請求項６に記載の発明は、請求項５に記載の発明において、前記各分割片において、前記装飾リング部を構成する箇所には、前記被着部側へ突出する突部が設けられており、前記被着部には、前記両突部が嵌合し得る第２溝部が設けられていることを要旨とする。
【００２４】
上記の構成によれば、突部が第２溝部に嵌合されることにより、各分割片は、リム部の周方向についての被着部の所定の箇所に位置決めされる。また、突部が嵌合された第２溝部の壁面は、各分割片がリム部の周方向へ動くのを規制する。従って、上記請求項５に記載の発明の隙間を生じにくくする効果がより一層確実なものとなる。
【発明の効果】
【００２５】
本発明のステアリングホイールによれば、リム部の変形等に伴い大きな力が加わった場合に装飾リング部が硬質部から外れるのを抑制することができる。
【図面の簡単な説明】
【００２６】
【図１】本発明を具体化した一実施形態におけるステアリングホイールの一部を省略して示す正面図。
【図２】ステアリングホイールの側面図。
【図３】図１のＰ−Ｐ線に沿ったリム部の断面構造を示す部分断面図。
【図４】図１のＱ−Ｑ線に沿った断面構造を示す部分断面図。
【図５】リム部芯金上に軟質部が形成される前のステアリングホイールを示す正面図。
【図６】図５のＲ−Ｒ線に沿ったリム部の断面構造を示す断面図。
【図７】図５のＳ部を拡大して示すリム部の部分正面図。
【図８】装飾部材を構成する前後一対の分割片を、加飾部側から軟質部側へ向かって見た状態を示す斜視図。
【図９】装飾部材と、その周辺部分との関係を示す部分正面図。
【図１０】図９のＴ−Ｔ線に沿った装飾部材の断面構造を示す断面図。
【図１１】図９のＵ−Ｕ線に沿った装飾部材の断面構造を示す断面図。
【図１２】図９のＶ−Ｖ線に沿った装飾部材の断面構造を示す断面図。
【図１３】金型装置を用いて軟質部を成形する前の状態を示す部分断面図。
【発明を実施するための形態】
【００２７】
以下、本発明を車両用ステアリングホイールに具体化した一実施形態について、図面を参照して説明する。
図１及び図２の少なくとも一方に示すように、車両の運転席よりも前方（図２の左方）には、回転軸線Ｌ１を中心として回転するステアリングシャフト（操舵軸）１１が、運転席側（図２の右側）ほど高くなるように傾斜した状態で配設されている。ステアリングシャフト１１の後端部には、本実施形態のステアリングホイール１２が一体回転可能に取付けられている。
【００２８】
ステアリングホイール１２は、リム部（ハンドル部、リング部と呼ばれることもある）１３、パッド部１４及びスポーク部１５を備えている。リム部１３は、運転者によって把持されて操舵される部材であり、上記回転軸線Ｌ１を中心とした略円環状をなしている（図１参照）。ステアリングシャフト１１が上記のように傾斜していることから、リム部１３もまた下側ほど運転席に近づくように多少傾斜している（図２参照）。
【００２９】
パッド部１４は、リム部１３によって囲まれた空間に配置されている。パッド部１４の前側部分はロアカバー１６によって構成されている。スポーク部１５は、リム部１３とパッド部１４との間に複数本（ここでは４本）設けられている。
【００３０】
なお、本実施形態では、ステアリングホイール１２の各部について説明する際には、ステアリングシャフト１１の回転軸線Ｌ１を基準とする。この回転軸線Ｌ１に沿う方向をステアリングホイール１２の「前後方向」といい、回転軸線Ｌ１に直交する方向のうち、ステアリングホイール１２の起立する方向を「上下方向」というものとする。従って、ステアリングホイール１２の前後方向及び上下方向は、車両の前後方向（水平方向）及び上下方向（鉛直方向）に対し若干傾いていることとなる。
【００３１】
また、円環状をなすリム部１３のその周方向の位置を特定するために、本実施形態では、車両が直進しているときの状態（図１及び図５参照）、すなわち中立状態を基準に、「上」、「下」、「左」、「右」を規定するものとする。
【００３２】
図４は、図１のＱ−Ｑ線に沿った断面構造を示している。図５は、リム部１３に後述する軟質部６０が形成される前のステアリングホイール１２を示している。これらの図４及び図５の少なくとも一方に示すように、ステアリングホイール１２の上記構成部材（リム部１３、パッド部１４、スポーク部１５）の各内部には、鉄、アルミニウム、マグネシウム、又はこれらの合金等によって形成された芯金２０が配設されている。この芯金２０のうち、リム部１３内に位置するものは、運転手側から見て（正面視で）略円環状をなしており、リム部芯金２１と呼ばれ、リム部１３の骨格をなしている。
【００３３】
芯金２０は、上記リム部芯金２１のほかに、回転軸線Ｌ１上にボス部芯金２２を備えるとともに、スポーク部１５の骨格をなし、かつボス部芯金２２及びリム部芯金２１を連結するスポーク部芯金２３を備えている。そして、上記の構成を有する芯金２０は、ボス部芯金２２において上記ステアリングシャフト１１の後端部に一体回転可能に取り付けられている。
【００３４】
図１、図５及び図９の少なくとも１つに示すように、リム部芯金２１の周方向についての一部、ここでは上部及び下部は、硬質部３０によって被覆されている。上側の硬質部３０は、リム部１３の周方向についての大部分を占める加飾部３１と、その加飾部３１の両端部に隣接して設けられた左右一対の被着部３２とからなる。なお、図９では、これらの加飾部３１及び被着部３２が太い二点鎖線で描かれている。また、下側の硬質部３０の構成については説明を省略する。
【００３５】
図６は図５のＲ−Ｒ線に沿った断面構造を示している。加飾部３１は、ポリプロピレン樹脂、ＡＢＳ樹脂、ポリエステル樹脂等の硬質樹脂材料によって図６に示す断面形状に形成されている。
【００３６】
また、リム部芯金２１の周方向についての他部（図１の左右両側部）は、上記硬質部３０よりも柔らかい軟質樹脂材料からなる軟質部６０によって被覆されている。これらの軟質部６０の多くの部分（スポーク部１５との境界部分を除く）は、上記加飾部３１の両端部と同程度の太さを有している。なお、上記軟質樹脂材料としては、軟質ポリウレタン、軟質ポリ塩化ビニル、各熱可塑性エラストマー（ポリエステル系、ポリウレタン系、ポリアミド系、ポリオレフィン系、ポリスチレン系）等が挙げられる。この軟質部６０の全体には皮革６１が被せられている（図４参照）。
【００３７】
上記両被着部３２は、互いに同様の構造を有している。そのため、ここでは、一方（図５の左方）の被着部３２の構造についてのみ説明する。なお、図５では、右方の被着部３２には後述する装飾部材４１が装着されていて、同被着部３２が装飾部材４１によって覆い隠されている。
【００３８】
図７は、図５におけるＳ部を拡大して示している。図３、図７及び図９の少なくとも１つに示すように、被着部３２は、リム部芯金２１の周りに、加飾部３１よりも細い中心軸部３３を有している。この中心軸部３３上において、加飾部３１から遠い側（各図の下側）の端部には、同中心軸部３３よりも太く、かつ上記加飾部３１よりも細いリブ３４が形成されている。リブ３４の前部には、後述する分割片４２，４３がリム部１３の中心軸線Ｌ２の周りを回転するのを規制等するための凹部３５が形成されている（図１１参照）。
【００３９】
また、中心軸部３３上であって、リブ３４の加飾部３１側の近傍には、分割片４２，４３の回転を規制するための突起３６が形成されている。この突起３６は、上記中心軸線Ｌ２を挟んで相対向する２箇所に設けられている（図１０参照）
中心軸部３３上において、加飾部３１から若干離れた箇所には、同中心軸部３３よりも太く、かつ上記加飾部３１よりも細い第２リブ３７が形成されている。
【００４０】
中心軸部３３の周りであって、上記リブ３４及び第２リブ３７によって挟まれた空間は、略円環状の溝部３８を構成している。また、中心軸部３３の周りであって、上記第２リブ３７及び加飾部３１によって挟まれた空間は、略円環状をなし、かつ溝部３８よりも幅狭の第２溝部３９を構成している。この第２溝部３９の前部には、分割片４２，４３がリム部１３の中心軸線Ｌ２の周りを回転するのを規制等するための規制部４０が形成されている（図１２参照）。
【００４１】
上記硬質部３０の少なくとも加飾部３１の外表面には装飾が施されている。本実施形態では、加飾部３１に加え被着部３２の外表面にも装飾が施されている。ここでは、装飾として、木目模様等からなる模様層Ａが形成されている（図３参照）。この模様層Ａは、本実施形態では、液圧転写法（水圧転写法）が行なわれることによって形成されており、数μｍ（例えば１〜３μｍ）の厚みを有している。
【００４２】
図３、図８及び図９の少なくとも１つに示すように、上記被着部３２の周りには、両端を開放された筒状の装飾部材４１が形成されている。なお、図９では、装飾部材４１が実線で描かれている。装飾部材４１は、半割状に分割された前後一対の分割片４２，４３を備えている。各分割片４２，４３は、前述した硬質部３０と同様、硬質樹脂材料によって形成されている。両分割片４２，４３は、共通する構成として、突部４４、係止部４５、第１延出部４８及び第２延出部４９を有している。
【００４３】
突部４４は、各分割片４２，４３の加飾部３１側の端部から被着部３２側（リム部１３の中心軸線Ｌ２側）へ突出している。突部４４は、前記第２溝部３９に嵌合し得る厚みを有している。
【００４４】
係止部４５は、上記突部４４から軟質部６０側へ所定距離隔てた箇所に位置しており、連結部４６を介して上記突部４４に繋がっている。係止部４５は、上記溝部３８に嵌合し得る厚みを有している。係止部４５には、その外周面において開口し、かつリム部１３の中心軸線Ｌ２を中心とする円弧状の係止溝４７が設けられている。係止溝４７は、上記皮革６１の端部が係止される箇所であり、「木目込み溝」とも呼ばれる。この係止溝４７は、皮革６１の端部を係止し得る幅を有している。
【００４５】
そして、上記連結部４６及び突部４４によって装飾リング部５１が構成されている。この装飾リング部５１では、連結部４６が加飾部３１と皮革６１との間に位置する。
第１延出部４８は、上記係止部４５から軟質部６０側へ延出している。第１延出部４８の外表面の径は、リム部１３の周方向のどの箇所でも一様となっている。この第１延出部４８の全体には上記皮革６１の端部が被せられている。第２延出部４９は、第１延出部４８からさらに軟質部６０側へ延出して、同軟質部６０の端部によって被覆されている。第２延出部４９の外表面は、第１延出部４８から遠ざかるほど縮径している。
【００４６】
前側の分割片４２に特有の構成として、同分割片４２の分割面４２Ａの中心軸線Ｌ２寄りの箇所において、同中心軸線Ｌ２を挟んで略対向する箇所には、位置決め用の突起５２が設けられている（図１１参照）。これらの突起５２の対は、リム部１３の周方向の複数箇所（本実施形態では２箇所）に設けられている（図８参照）。また、第１延出部４８の内周面には、前記被着部３２の凹部３５に嵌合し得る隆起部５３が設けられている（図１１参照）。また、突部４４の前部には、被着部３２の上記規制部４０に係合し得る切欠き部５４が形成されている（図１２参照）。
【００４７】
後ろ側の分割片４３に特有の構成として、第１延出部４８の内周面であって、リム部１３の中心軸線Ｌ２を挟んで略相対向する箇所には、前記被着部３２の突起３６に係合し得る切欠き部５５が形成されている（図１０参照）。
【００４８】
上記構成の両分割片４２，４３では、少なくとも装飾リング部５１の外表面に対し、メッキ等の加飾方法により金属光沢等の装飾が施されている。ここでは、装飾リング部５１にとどまらず両分割片４２，４３の外表面の全体にメッキが施されている。
【００４９】
そして、図１０〜図１２の少なくとも１つに示すように、被着部３２に対し分割片４２が前側から装着され、分割片４３が後ろ側から装着されている。分割片４２の分割面４２Ａと分割片４３の分割面４３Ａとが、接着等の接合手段によって相互に接合されている。このように接合された前後一対の分割片４２，４３によって、被着部３２の周りに筒状の装飾部材４１が形成されている。この装飾部材４１では、図３に示すように、分割片４２，４３毎の係止部４５が被着部３２の溝部３８に嵌合されている（図１０参照）。分割片４２，４３毎の突部４４が被着部３２の第２溝部３９に嵌合されている（図１２参照）。分割片４２，４３毎の係止部４５と第２延出部４９とが、被着部３２のリブ３４を挟み込んでいる。
【００５０】
また、前側の分割片４２の切欠き部５４が被着部３２の規制部４０に係合し（図１２参照）、隆起部５３が凹部３５に係合している（図１１参照）。後ろ側の分割片４３の各切欠き部５５が被着部３２の対応する突起３６に係合している（図１０参照）。これらの係合により、前後両分割片４２，４３が中心軸線Ｌ２の周りを回転することが規制されている。
【００５１】
分割片４２，４３毎の第２延出部４９とリム部芯金２１との間には軟質部６０の端部の一部が入り込んでいる。また、第２延出部４９は軟質部６０の端部の一部によって外側から被覆されている。
【００５２】
さらに、軟質部６０の全体に皮革６１が被せられていることについては前述したとおりであるが、この皮革６１の加飾部３１側の端部は分割片４２，４３毎の第１延出部４８にも被せられている。この皮革６１は、縫合糸によってリム部１３の内周側（回転軸線Ｌ１側）で縫合されている。皮革６１の加飾部３１側の端部は、係止部４５の係止溝４７に押し込まれて壁面に接着固定される等して、装飾部材４１に係止されている。
【００５３】
なお、ステアリングホイール１２の中央部分には、エアバッグ装置（図示略）が内蔵されている。このエアバッグ装置は、膨張用ガス発生器としてのインフレータと、そのインフレータから発生された膨張用ガスにより膨張するエアバッグとを備えている。
【００５４】
そのため、車両が走行中に前面衝突する等して、車両に対し前方から衝撃が加わった場合には、車両は停止するが運転者は慣性により車両に対し前方へ移動しようとする。一方、エアバッグ装置では、上記衝撃に応じてインフレータからエアバッグに膨張用ガスが供給される。ステアリングホイール１２と運転者との間でエアバッグが膨張展開し、このエアバッグによって運転者が衝撃から保護される。さらに、このときには、運転者からエアバッグを介してステアリングホイール１２に大きな押圧力が加わり、リム部１３が変形したり変位したりする。これらの変形、変位等によって上記衝撃が吸収され、この点からも運転者の保護が図られる。
【００５５】
上記のように構成された本実施形態のステアリングホイール１２では、リム部１３の製作に際し、（Ｉ）硬質部３０の成形、（II）模様層Ａの形成（加飾）、（III ）装飾部材４１の形成、（IV）軟質部６０の成形、（Ｖ）皮革６１の装着、の各工程がこの順で行なわれる。
【００５６】
（Ｉ）硬質部３０の成形工程
この工程では、硬質部成形用の金型装置（図示略）に、芯金２０がセットされる。金型装置の型締め後、硬質部３０の成形材料が注入されて、リム部芯金２１の所定の箇所（上部及び下部の２箇所）に硬質部３０が成形される（図５参照）。その後に、硬質部３０の設けられたリム部芯金２１が金型装置から取り出される。
【００５７】
（II）模様層Ａの形成（加飾）工程
この工程では、凹凸等の三次元表面を有する被転写体に対し、木目模様等の模様を形成して加飾を行う方法である液圧転写法が実施される。この液圧転写法では、転写槽に貯留された液体の液面に、その液体に溶解する材料からなり、かつ表面に模様層の印刷されたフィルム（転写フィルム）が浮かべられる。例えば、転写槽に貯留された水の液面（水面）に、水溶性材料であるポリビニルアルコール等からなり、かつ表面に模様層の印刷されたフィルム（転写フィルム）が、その模様層を上にした状態で浮かべられる。この水の中に被転写体（ここでは硬質部３０のみが成形された状態のリム部芯金２１）が沈められる。転写フィルムに水圧が加わり、同転写フィルムが少なくとも硬質部３０の形状に沿って変形して付着し、これに伴い模様層Ａが少なくとも硬質部３０の外表面に転写される。
【００５８】
（III ）装飾部材４１の形成工程
この工程では、図３に示すように、被着部３２に対し、前側から分割片４２が近づけられ、後ろ側から分割片４３が近づけられる。被着部３２に近づくに従い、各分割片４２，４３の係止部４５が溝部３８に入り込み、突部４４が第２溝部３９に入り込むようになる。これらの入り込みにより、リム部１３の周方向についての各分割片４２，４３の位置決めがなされる。
【００５９】
また、前側の分割片４２が被着部３２に近づくに従い、切欠き部５４が規制部４０に被さり（図１２参照）、隆起部５３が凹部３５に入り込む（図１１参照）。後ろ側の分割片４３の切欠き部５５が両突起３６に被さる（図１０参照）。
【００６０】
そして、両分割片４２，４３が被着部３２にさらに近づくと、後ろ側の分割片４３の分割面４３Ａの近傍部分が、前側の分割片４２の複数の突起５２に対し外側から被さるようになる。これらの突起５２により、分割片４３が分割面４３Ａに沿う方向へ動くことが規制され、分割片４２に対する分割片４３の同方向の位置決めがなされる。前後両分割片４２，４３は、それらの分割面４２Ａ，４３Ａにおいて、接着等の接合手段によって相互に接合される。この接合により、被着部３２を覆い隠した状態で、同被着部３２の周りに筒状の装飾部材４１が形成される。
【００６１】
（IV）軟質部６０の成形工程
この工程では、図１３に示すように、硬質部３０及び模様層Ａを有し、かつ被着部３２の周りに装飾部材４１の形成されたリム部芯金２１が、軟質部成形用の金型装置７０にセットされる。この金型装置７０の金型７１において、同金型装置７０が型締めされた状態で第１延出部４８に接触する箇所には、シリコーン等の弾性変形し得る軟質材料からなる薄板環状のバリ切り部７３が取付けられている。
【００６２】
金型装置７０が型締めされることにより、同金型装置７０内には、金型７１、リム部芯金２１、装飾部材４１及び硬質部（被着部３２）によって囲まれた成形空間であるキャビティ７２が形成される。また、バリ切り部７３が弾性変形しながら第１延出部４８に圧接する。そして、キャビティ７２に対し、所定の材料を混合注入してなる液状の成形材料が供給される。この供給された成形材料が反応（発泡）することで、リム部芯金２１の特定部位の周りに、第２延出部４９及び被着部３２に接した状態で軟質部６０（図３参照）が成形される。この成形された軟質部６０の端部によって第２延出部４９が被覆される。
【００６３】
なお、上記軟質部６０の成形の際に、反応前の液体状態又は反応途中のゲル状態の成形材料が、キャビティ７２から金型７１と装飾部材４１（第１延出部４８）との間の隙間を通って漏出する現象は、第１延出部４８及びバリ切り部７３によって規制される。従って、成形材料が、第１延出部４８よりも加飾部３１側の部材に付着して外観を低下させることが起こりにくい。
【００６４】
ここで、仮に、軟質部６０を成形した後に両分割片４２，４３を被着部３２に装着し、相互に接合して装飾部材４１を形成すると、軟質部６０と装飾部材４１との間に多少なりとも隙間が生ずるため、この隙間を埋める作業が別途必要となる。
【００６５】
しかし、装飾部材４１が被着部３２の周りに形成された後に軟質部６０が成形される本実施形態では、第２延出部４９に接触した状態の軟質部６０が成形されるため、軟質部６０と装飾部材４１との間に隙間が生じにくい。隙間を埋める作業は不要である。
【００６６】
軟質部６０の成形後、金型装置７０が型開きされ、硬質部３０、装飾部材４１及び軟質部６０の設けられたリム部芯金２１がその金型装置７０から取り出される。
（Ｖ）皮革６１の装着工程
この工程では、図３に示すように、軟質部６０の外表面の全体と、装飾部材４１の第１延出部４８の外表面の全体とに皮革６１が被せられる。皮革６１の両外縁部が接近させられた状態で縫合される。また、リム部１３の周方向についての皮革６１の端部が係止溝４７に押し込まれ、同係止溝４７の壁面に接着されることで、同皮革６１が係止部４５に係止される。
【００６７】
この際、仮に第２延出部４９の太さが一様であるとすると、次の現象が起こるおそれがある。すなわち、軟質部６０及び装飾部材４１（第１延出部４８、係止部４５等）に皮革６１が緊張状態で被せられると、それらの軟質部６０及び装飾部材４１に対し、リム部１３の中心軸線Ｌ２に向かう押圧力が加わる。一方で、硬質樹脂材料によって形成された装飾部材４１と、軟質樹脂材料によって形成された軟質部６０とでは、硬さが大きく異なる。そのため、装飾部材４１の第１延出部４８と軟質部６０との境界部分で硬さが急激に変化する。皮革６１による上記押圧力が作用した場合、第１延出部４８が全く又はほとんど変形しないのに対し、軟質部６０の第１延出部４８との境界部分は圧縮弾性変形して細くなる。その結果、第１延出部４８と軟質部６０との境界部分で段差が生じ、外観を低下させるおそれがある。
【００６８】
この点、本実施形態では、第２延出部４９の外表面が第１延出部４８から遠ざかるほど縮径していることから、上記境界部分では、リム部１３の周方向に硬さが徐々に変化する。リム部１３の硬さは、第１延出部４８から遠ざかるに従い低くなる。第２延出部４９が、リム部１３の硬さに寄与する度合いが、第１延出部４８から遠ざかるに従い小さくなるからである。そのため、皮革６１の上記押圧力により、第１延出部４８との境界部分で軟質部６０が圧縮弾性変形してリム部１３が細くなるとしても、急激には細くならない。リム部１３の太さは、第１延出部４８から遠ざかるに従い徐々に小さくなる。そのため、第１延出部４８と軟質部６０との境界部分で生ずる段差は小さなものである。
【００６９】
上述した（Ｉ）〜（Ｖ）の工程を順に経ることにより、加飾部３１の外表面に模様層Ａが形成された硬質部３０と、皮革６１によって被覆された軟質部６０と、自身の外表面に装飾（メッキ）の施された装飾リング部５１を、加飾部３１及び皮革６１間に有する装飾部材４１とを備えたリム部１３が得られる。
【００７０】
そして、このように装飾リング部５１が設けられることで、模様層Ａと皮革６１との間に装飾リング部５１による別の意匠面（金属調の光沢面）が現出し、これがリム部１３の外観を向上させる。
【００７１】
上記リム部１３では、装飾部材４１を構成する一対の分割片４２，４３が硬質部３０の被着部３２の周りに配置されて、相互に接合されている。この接合により両分割片４２，４３は被着部３２の周りで筒状に連結されて、同被着部３２の周りに装飾部材４１が形成されている。上記接合のほかにも、各分割片４２，４３では、係止部４５から軟質部６０側へ延出する第１延出部４８に皮革６１の端部が被さっていて、被着部３２から離れる方向（径方向外方）への第１延出部４８の動きを規制する。さらに、第１延出部４８から軟質部６０側へ延出する分割片４２，４３毎の第２延出部４９に対し軟質部６０及び皮革６１の各端部が被さっていて、被着部３２から離れる方向（径方向外方）への第２延出部４９の動きを規制する。
【００７２】
従って、前面衝突等により車両に前方から衝撃が加わり、前方へ移動しようとする運転者から膨張状態のエアバッグを通じて直接的に、あるいはリム部１３の変形に伴い間接的に装飾部材４１に対して大きな力が加わっても、各分割片４２，４３は被着部３２に装着された状態に保持され、被着部３２から外れる現象が起こりにくくなる。
【００７３】
ところで、ステアリングホイール１２は、一般に熱、光等について過酷な状況下で使用される。そして、こうした状況下での長年の使用により皮革６１が経年劣化し、大きく収縮しようとする場合がある。この収縮により、皮革６１の端部が係止された各分割片４２，４３が引っ張られると、同分割片４２，４３の突部４４と加飾部３１との間に隙間が生ずるおそれがある。
【００７４】
しかし、係止部４５が溝部３８に嵌合され、しかも突部４４が第２溝部３９に嵌合された本実施形態では、それらの溝部３８及び第２溝部３９の壁面は、各分割片４２，４３がリム部１３の周方向へ動くのを規制する。従って、装飾部材４１に係止された皮革６１が大きく収縮しようとしても、各分割片４２，４３が皮革６１側へ引っ張られて動いて、加飾部３１との間に隙間を生ずることは起こりにくい。
【００７５】
以上詳述した本実施形態によれば、次の効果が得られる。
（１）装飾部材４１を構成する分割片４２，４３として、装飾リング部５１に加え、係止部４５、第１延出部４８及び第２延出部４９を備えるものを用いている。係止部４５の係止溝４７に皮革６１の端部を係止し、第１延出部４８を皮革６１の内側に入り込ませ、第２延出部４９を皮革６１及び軟質部６０内に入り込ませている（図３参照）。そのため、リム部１３の変形等に伴い大きな力が加わっても、第１延出部４８の外側の皮革６１と、第２延出部４９の外側の軟質部６０及び皮革６１とによって、装飾リング部５１を被着部３２から外れにくくすることができる。
【００７６】
（２）第２延出部４９の外表面を、第１延出部４８から遠ざかるほど縮径させている。このため、第１延出部４８と軟質部６０との境界部分でリム部１３の太さが急激に変化するのを抑制することができる。その結果、第１延出部４８と軟質部６０との境界部分に段差を生じにくくするための対策を別途講じなくても、段差に起因する外観の低下を抑制することができる。
【００７７】
なお、上記別途の対策としては、例えば、皮革６１を被せる前に、第１延出部４８と軟質部６０とに跨って金属製のテープを巻き付けて、その上に皮革６１を被せることが挙げられる。この対策によれば、テープの巻き付けられた箇所では、軟質部６０は皮革６１の押圧力によって大きく圧縮弾性変形しない。そのため、第１延出部４８と軟質部６０との境界部分に大きな段差が生じない。
【００７８】
ただし、上記の対策を講ずると、テープが必要になるほか、テープを巻き付ける作業が必要となる。本実施形態では、テープ自体はもちろんのこと、テープを巻き付ける作業も不要である。
【００７９】
（３）装飾部材４１が被着部３２の周りに形成された後に、自身の一部が両分割片４２，４３の第２延出部４９に被さるように軟質部６０を成形するようにしている。そのため、軟質部６０と装飾部材４１との間に隙間が生じないようにすることができ、隙間を埋める作業を不要にすることができる。
【００８０】
（４）装飾部材４１の第１延出部４８を、金型装置７０による軟質部６０の成形の際に、バリ切り部７３と接触する箇所としている。そのため、軟質部６０を成形するためのキャビティ７２に供給された成形材料が、装飾部材４１と金型７１との間を通ってキャビティ７２から漏出するのを抑制することができる。
【００８１】
（５）被着部３２に、その外表面において開口する溝部３８を設け、この溝部３８に装飾部材４１の係止部４５を嵌合している。そのため、装飾部材４１に係止された皮革６１が大きく収縮しようとしても、各分割片４２，４３が皮革６１側へ引っ張られて動くのを規制することができ、同分割片４２，４３と加飾部３１との間に隙間が生ずるのを抑制することができる。
【００８２】
（６）各分割片４２，４３において、装飾リング部５１を構成する箇所に、被着部３２側へ突出する突部４４を設ける一方、その被着部３２には、両突部４４が嵌合し得る第２溝部３９を設けている。そのため、突部４４が嵌合された第２溝部３９に、各分割片４２，４３がリム部１３の周方向へ動くのを規制する機能を発揮させることができ、上記（５）に記載の発明の効果（隙間を生じにくくする効果）をより一層確実なものとすることができる。
【００８３】
なお、本発明は次に示す別の実施形態に具体化することができる。
＜装飾部材４１について＞
・リム部１３の周方向における装飾部材４１の位置・数を、上記実施形態とは異なるものに変更してもよい。この場合には、硬質部３０及び軟質部６０の周方向における位置・数も変更することとなる。
【００８４】
・装飾部材４１（分割片４２，４３）として、合成樹脂とは異なる硬質材料、例えば金属によって形成されたものを用いてもよい。
・装飾部材４１では、少なくとも装飾リング部５１の外表面に装飾が施されればよい。これは、装飾部材４１の装飾リング部５１とは異なる箇所は、皮革６１によって覆い隠されるからである。従って、装飾リング部５１とは異なる箇所については、装飾を割愛してもよい。
【００８５】
・第２延出部４９の外表面の径を、リム部１３の周方向のどの箇所でも一様にしてもよい。
＜硬質部３０について＞
・硬質部３０として、合成樹脂とは異なる硬質材料、例えば金属によって形成されたものを用いてもよい。
【００８６】
・加飾部３１の外表面に装飾を施す態様として、全体が木材によって形成されたものを加飾部３１に貼着してもよい。
＜模様層Ａについて＞
・模様層Ａは、上記実施形態とは異なり、加飾部３１の外表面にのみ形成されてもよい。
【００８７】
・模様層Ａの外表面に、ポリウレタン、ポリエステル系樹脂、アクリル系樹脂等からなる透明なコーティング層をさらに設けて、同模様層Ａを保護するようにしてもよい。
・模様層Ａの模様は、木目模様とは異なるものであってもよい。
【００８８】
・模様層Ａの形成に際し、水以外の液体を用いて液圧転写法を実施してもよい。
・模様層Ａを液圧転写法以外の手法、例えば、タンポ印刷、インクジェット印刷等の印刷によって形成してもよい。
【００８９】
＜その他＞
・本発明は、車両に限らず、航空機、船舶等の他の乗り物における操舵装置のステアリングホイールに適用することもできる。この場合、車両には、自家用車に限らず各種産業車両も含まれる。
【符号の説明】
【００９０】
１２…ステアリングホイール、１３…リム部、３０…硬質部、３１…加飾部、３２…被着部、３８…溝部、３９…第２溝部、４１…装飾部材、４２，４３…分割片、４４…突部、４５…係止部、４７…係止溝、４８…第１延出部、４９…第２延出部、５１…装飾リング部、６０…軟質部、６１…皮革、７０…金型装置、７２…キャビティ、７３…バリ切り部。
【図１】
2011111102.tif 000003
【図２】
2011111102.tif 000004
【図３】
2011111102.tif 000005
【図４】
2011111102.tif 000006
【図５】
2011111102.tif 000007
【図６】
2011111102.tif 000008
【図７】
2011111102.tif 000009
【図８】
2011111102.tif 000010
【図９】
2011111102.tif 000011
【図１０】
2011111102.tif 000012
【図１１】
2011111102.tif 000013
【図１２】
2011111102.tif 000014
【図１３】
2011111102.tif 000015